(57)【要約】【課題】作業者の負担を軽減できる農作業機を提供する。【解決手段】農作業機は、耕耘作業をする耕耘体３と、この耕耘体３の後方で整地作業をする整地体とを備える。耕耘体３は、耕耘軸31および複数の耕耘爪32を有する。耕耘軸31への夾雑物の巻き付きを防止する巻付防止線状部材41を耕耘軸31に沿って位置するように配設する。巻付防止線状部材41を通す位置の目安となる目印手段42を耕耘軸31の軸本体部36の外周面に設ける。【選択図】図７
2018110550.tif 000002
【特許請求の範囲】
【請求項１】
耕耘軸および複数の耕耘爪を有し、回転しながら耕耘作業をする耕耘体と、
前記耕耘軸に沿って位置するように配設され、前記耕耘軸への夾雑物の巻き付きを防止する線状手段と、
前記耕耘体に設けられ、前記線状手段を通す位置の目安となる目印手段と
を備えることを特徴とする農作業機。
【請求項２】
耕耘軸は、
軸状の軸本体部と、
この軸本体部に突設された複数の爪取付部とを有し、
目印手段は、前記軸本体部および前記爪取付部のうち、少なくともいずれか一方に設けられている
ことを特徴とする請求項１記載の農作業機。
【請求項３】
目印手段は、前用目印および後用目印を有し、
前記前用目印は、線状手段を通す位置が耕耘爪の回転方向前方側の位置であることを示すものであり、
前記後用目印は、前記線状手段を通す位置が前記耕耘爪の回転方向後方側の位置であることを示すものである
ことを特徴とする請求項１または２記載の農作業機。
【請求項４】
目印手段は、線状手段が通る軌跡を示す線状目印を有する
ことを特徴とする請求項１ないし３のいずれか一記載の農作業機。
【発明の詳細な説明】
【技術分野】
【０００１】
本発明は、作業者の負担を軽減できる農作業機に関するものである。
【背景技術】
【０００２】
従来、例えば下記の特許文献１に記載された農作業機が知られている。
【０００３】
この従来の農作業機は、例えばトラクタ等の走行車の後部に連結された機体と、この機体に回転可能に設けられ耕耘軸および複数の耕耘爪を有する耕耘体と、この耕耘体の耕耘軸に沿って位置するように配設されその耕耘軸への夾雑物（例えば草等）の巻き付きを防止する巻付防止用の線状手段とを備えている。
【先行技術文献】
【特許文献】
【０００４】
【特許文献１】特開２００６−３２５５２６号公報
【発明の概要】
【発明が解決しようとする課題】
【０００５】
しかしながら、上記のような農作業機では、例えば耕耘軸の爪ホルダー部に耕耘爪を取り付けた後、線状手段を取り付ける際に、線状手段の通し方が複数存在するため、作業者がその線状手段の取付作業に手間取り、作業者にとって大きな負担となる場合がある。
【０００６】
本発明は、このような点に鑑みなされたもので、作業者の負担を軽減できる農作業機を提供することを目的とする。
【課題を解決するための手段】
【０００７】
請求項１記載の農作業機は、耕耘軸および複数の耕耘爪を有し、回転しながら耕耘作業をする耕耘体と、前記耕耘軸に沿って位置するように配設され、前記耕耘軸への夾雑物の巻き付きを防止する線状手段と、前記耕耘体に設けられ、前記線状手段を通す位置の目安となる目印手段とを備えるものである。
【０００８】
請求項２記載の農作業機は、請求項１記載の農作業機において、耕耘軸は、軸状の軸本体部と、この軸本体部に突設された複数の爪取付部とを有し、目印手段は、前記軸本体部および前記爪取付部のうち、少なくともいずれか一方に設けられているものである。
【０００９】
請求項３記載の農作業機は、請求項１または２記載の農作業機において、目印手段は、前用目印および後用目印を有し、前記前用目印は、線状手段を通す位置が耕耘爪の回転方向前方側の位置であることを示すものであり、前記後用目印は、前記線状手段を通す位置が前記耕耘爪の回転方向後方側の位置であることを示すものであるものである。
【００１０】
請求項４記載の農作業機は、請求項１ないし３のいずれか一記載の農作業機において、目印手段は、線状手段が通る軌跡を示す線状目印を有するものである。
【発明の効果】
【００１１】
本発明によれば、線状手段を通す位置の目安となる目印手段を備えるため、作業者の負担を軽減できる。
【図面の簡単な説明】
【００１２】
【図１】本発明の一実施の形態に係る農作業機の側面図である。
【図２】同上農作業機の概略図である。
【図３】同上農作業機の巻付防止線状部材およびその取付手段を示す図である。
【図４】（ａ）および（ｂ）は耕耘体の軸方向端部を示す斜視図である。
【図５】同上耕耘体の側面図である。
【図６】同上巻付防止線状部材の通し方の説明図である。
【図７】（ａ）および（ｂ）は目印手段の一例を示す図である。
【図８】同上目印手段の説明図である。
【図９】（ａ）および（ｂ）は目印手段の他の例を示す図である。
【図１０】目印手段の他の例を示す図である。
【発明を実施するための形態】
【００１３】
本発明の一実施の形態について図１ないし図８を参照して説明する。
【００１４】
図中の１は農作業機で、この農作業機１は、例えば走行車であるトラクタ（図示せず）の後部に連結され、そのトラクタの走行により圃場を前方（進行方向）に移動しながら耕耘整地作業（農作業）を行うものである。
【００１５】
農作業機１は、図示しないトラクタの後部の３点リンク部に脱着可能に連結される機体２と、この機体２に回転可能に設けられ所定方向（例えばダウンカット方向）に回転しながら耕耘作業をする耕耘体（ロータリー）３と、機体２に左右方向の軸（回動支点）５を中心として上下方向に回動可能に設けられ耕耘体３の後方で整地作業する整地体（均平板）４とを備えている。
【００１６】
機体２は、図１に示すように、トラクタの後部の３点リンク部に脱着可能に連結される３点連結部（走行車連結部）11を有している。３点連結部11は、１本のトップマスト12および左右１対で２本のロワーアーム13を有している。トップマスト12の先端部にはトップピン14が取り付けられ、ロワーアーム13の先端部にはロワーピン15が取り付けられている。
【００１７】
また、機体２は、前後方向の入力軸16を回転可能に保持する軸保持部であるミッションケース部17を有し、このミッションケース部17の左右両側には左右方向に延びるフレーム部であるフレームパイプ部18の内端部が取り付けられている。なお、入力軸16は、トラクタのＰＴＯ軸にジョイント（図示せず）を介して接続される。
【００１８】
そして、左側のフレームパイプ部18の外端部には、箱状の耕耘体支持部であるチェーンケース部19が取り付けられている。一方、右側のフレームパイプ部18の外端部には、板状の耕耘体支持部であるブラケット部20が取り付けられている。これら互いに離間対向するチェーンケース部19およびブラケット部20によって耕耘体３が回転可能に支持されている。なお、チェーンケース部19およびブラケット部20の各々には、側板部であるサイドカバー板10が固着されている。
【００１９】
さらに、機体２は、耕耘体３の上方部を覆う耕耘カバー部21を有し、この耕耘カバー部21の後端部には整地体４が軸５を中心として上下方向に回動可能に取り付けられている。この整地体４と機体２との間には、整地体４の接地圧を調整可能な接地圧調整手段22が架設されている。
【００２０】
耕耘体３は、図２にも示すように、入力軸16側からの動力に基づいて左右方向の回転中心軸線Ｘを中心として所定方向へ回転しながら耕耘作業をするものである。
【００２１】
耕耘体３は、左右方向に延びる回転軸である耕耘軸31と、この耕耘軸31に脱着可能に設けられた複数の耕耘爪32とを有している。そして、耕耘軸31の軸方向一端部である左端部のスプライン軸部34がチェーンケース部19にボス部25を介して回転可能に取り付けられ、かつ、耕耘軸31の軸方向他端部である右端部の右軸部35がブラケット部20にボス部25を介して回転可能に取り付けられている。
【００２２】
耕耘軸31は、左右方向に延びる中空状で丸軸状の軸本体部36と、この軸本体部36の外周面に突設された複数の爪取付部である爪ホルダー部37と、軸本体部36の左右方向両端部の外周面に突設された対をなす突出板部38とを有している。複数の爪ホルダー部37は、軸本体部36の外周面においてこの軸本体部36を中心とする螺旋方向に互いに間隔をおいて並んでいる。そして、各爪ホルダー部37には、耕耘爪32が爪取付ボルト40等によって脱着可能に取り付けられている。
【００２３】
また、農作業機１は、耕耘爪32を避けながら耕耘軸31の軸方向（左右方向）に沿って位置（耕耘軸31の軸方向に略沿って位置する場合を含む）するように配設され、耕耘軸31への夾雑物（例えば草等）の巻き付きを防止する巻付防止用の線状手段である巻付防止線状部材（線状部材）41と、耕耘体３の耕耘軸31に設けられ、巻付防止線状部材41の取付時に耕耘爪32を避けるために巻付防止線状部材41を通す位置の目安となる目印手段42とを備えている。
【００２４】
なお、本実施の形態では、巻付防止線状部材41は、複数本、例えば２本だけ、耕耘軸31に設けられているが、２本には限定されず、３本以上でもよく、或いは１本でもよい。また、巻付防止線状部材41は、例えば耕耘軸31よりも少し長い、可撓性を有する金属製の線材からなるものである。
【００２５】
巻付防止線状部材41は、図２ないし図４等に示すように、線状部材取付手段43を介して、耕耘体３の耕耘軸31に脱着可能に取り付けられている。この線状部材取付手段43は、線状部材用孔46およびボルト用孔47が形成された取付板48と、線状部材用孔49およびボルト用孔50が形成された振止板51と、取付板48を耕耘軸31の突出板部38に取り付けるための板取付ボルト52およびナット部材53と、巻付防止線状部材41を取付板48に取り付けるためのナット54（図３上、左から右へ順に54a，54b，54c，54d，54e）とを有している。なお、振止板51は、爪取付ボルト40等によって耕耘爪32とともに爪ホルダー部37に取り付けられている（図２参照）。
【００２６】
また、ナット部材53は、図４（ａ）に示すように、板取付ボルト52が螺合された２個のねじ孔56を有する板状のナット部57と、このナット部57に固設された夾雑物切断用の刃部58とにて構成されている。なお、この刃部58は、耕耘軸31とともに回転して夾雑物を切断することによって、ボス部25の周囲に草等の夾雑物が絡み付くのを防止する。
【００２７】
そして、耕耘軸31の突出板部38には板取付ボルト52およびナット部材53によって取付板48が取り付けられ、この取付板48には巻付防止線状部材41の端部がナット54によって取り付けられている。なお、巻付防止線状部材41の端部の外周面にはねじ溝59が形成され、このねじ溝59にナット54が螺合されている。また、複数個のナット54のうちナット54bのみが巻付防止線状部材41に溶接によって固着されている（図３参照）。なお、ねじ溝59の部分およびナット54bに代えて、ボルトを巻付防止線状部材41の端部に溶接等で固着するようにしてもよい。
【００２８】
ここで、図６に示すように、耕耘爪32を耕耘軸31の各爪ホルダー部37に取り付けた後、巻付防止線状部材41を線状部材取付手段43を用いて耕耘軸31に取り付ける際に、巻付防止線状部材41の通し方は複数存在する。そのため、作業者は、その巻付防止線状部材41の取付作業時において、巻付防止線状部材41を耕耘爪32の回転方向前後のどちらに通せばいいのか分からない場合がある。
【００２９】
そこで、図７および図８に示すように、耕耘軸31の軸本体部36および爪ホルダー部37のうち少なくともいずれか一方、すなわち例えば軸本体部36の外周面には、作業者に対して巻付防止線状部材41の通し方を示す目印手段42が設けられている。
【００３０】
そして、目印手段42は、例えば図７（ａ）に示す前用目印42aおよび図７（ｂ）に示す後用目印42bからなるものである。
【００３１】
前用目印42aは、巻付防止線状部材41を通す位置が回避対象の耕耘爪32の回転方向前方側の位置であることを示す点状目印（例えば溶接盛）である。この前用目印42aは、軸本体部36の外周面のうち、回避対象の耕耘爪32の回転方向前方側の位置、つまり回避対象の耕耘爪32が取り付けられた爪ホルダー部37の回転方向前面37aの下端近傍位置に膨出状に設けられている。
【００３２】
後用目印42bは、巻付防止線状部材41を通す位置が回避対象の耕耘爪32の回転方向後方側の位置であることを示す点状目印（例えば溶接盛）である。この後用目印42bは、軸本体部36の外周面のうち、回避対象の耕耘爪32の回転方向後方側の位置、つまり回避対象の耕耘爪32が取り付けられた爪ホルダー部37の回転方向後面37bの下端近傍位置に膨出状に設けられている。
【００３３】
なお、回避対象の耕耘爪32は、複数の耕耘爪32のうち、巻付防止線状部材41を耕耘軸31の軸方向（左右方向）に沿って真っ直ぐな一直線状に配設しようとした際に障害となる耕耘爪（爪ホルダー部37の大きさや形状等によっては、耕耘爪ではなく爪ホルダー部が障害となる場合もある）を意味する。
【００３４】
次に、農作業機１の作用等を説明する。
【００３５】
例えば農作業機１の組立時や部品交換時等において、耕耘爪32をすべての各爪ホルダー部37に取り付けた後、巻付防止線状部材41を耕耘軸31に取り付ける場合には、作業者は、目印手段42の目印42a，42bをみて、巻付防止線状部材41を通す位置を確認しながら回避対象の耕耘爪32を回避して巻付防止線状部材41を通す。
【００３６】
このため、作業者は、巻付防止線状部材41を耕耘爪32の回転方向前後のどちらに通せばいいのか分からなくなることがなく、耕耘軸31に対して巻付防止線状部材41を容易に取り付けることが可能である。
【００３７】
このように、農作業機１によれば、巻付防止線状部材41を通す位置の目安となる目印手段（前用目印42aおよび後用目印42b）42を備えるため、作業者は、巻付防止線状部材41の取付作業を容易に行うことができ、作業者の負担を軽減できる。
【００３８】
なお、上記実施の形態では、前用目印42aおよび後用目印42bは、軸本体部36のみに設けられているが、例えば図９（ａ）および（ｂ）に示すように、爪ホルダー部37のみに設けてもよい。
【００３９】
この図９（ａ）に示す前用目印42aは、回避対象の耕耘爪32が取り付けられた爪ホルダー部37の回転方向前面37aに膨出状に設けられている。また、図９（ｂ）に示す後用目印42bは、回避対象の耕耘爪32が取り付けられた爪ホルダー部37の回転方向後面37bに膨出状に設けられている。
【００４０】
なお、例えば目印手段42を構成する目印42a，42bを軸本体部36および爪ホルダー部37の両方にそれぞれ設けてもよい。また、前後の目印42a，42bのうちいずれか一方のみを設けるようにしてもよい。
【００４１】
また、目印42a，42bは、突起部である溶接盛（溶接肉）からなるものには限定されず、例えば「前」や「後」等の文字表示、矢印等の図形表示、赤等の色表示を、例えばフェルトペン等のペン、塗装或いはシール等によって設けるようにしてもよい。
【００４２】
また一方、目印手段42は、前用目印42aおよび後用目印42bからなるものには限定されず、例えば図１０に示すように、巻付防止線状部材41が通る軌跡を示す線状目印61のみからなるものでもよい。
【００４３】
この図１０に示す線状目印61は、各巻付防止線状部材41と対向して位置するように、耕耘軸31の軸本体部36の外周面に軸方向一端部から軸方向他端部にわたって略ジグザグ状に設けられている。
【００４４】
また、線状目印61は、例えばフェルトペン等のペン、塗装、シール、或いはレーザー加工等によって設けたものでもよく、また、例えば溶接盛からなる突条部等でもよい。
【００４５】
なお、本発明のいくつかの実施の形態およびその変形例について説明したが、本発明の要旨を逸脱しない範囲で、前記各実施の形態および各変形例を適宜組み合わせることも可能である。
【符号の説明】
【００４６】
１    農作業機
３    耕耘体
31    耕耘軸
32    耕耘爪
36    軸本体部
37    爪取付部である爪ホルダー部
41    線状手段である巻付防止線状部材
42    目印手段
42a   前用目印
42b   後用目印
61    線状目印
【図１】
2018110550.tif 000003
【図２】
2018110550.tif 000004
【図３】
2018110550.tif 000005
【図４】
2018110550.tif 000006
【図５】
2018110550.tif 000007
【図６】
2018110550.tif 000008
【図７】
2018110550.tif 000009
【図８】
2018110550.tif 000010
【図９】
2018110550.tif 000011
【図１０】
2018110550.tif 000012